(57)【要約】【課題】常時適正な水圧・水量で供給することができ、さらに水質を変化させずに、検水を水質監視自動計測機器に供給できる検水供給装置を提供せんとするものである。【解決手段】検水供給装置１０は、河川や湖沼などの水を水中ポンプ１１で採水し、採水した水を検水として水質監視自動計測機器１２へ供給するものである。検水供給装置１０は、水中ポンプ１１と水質監視自動計測機器１２との流路中に定流量弁１４を備え、水中ポンプ１１で採水した検水を、定流量弁１４に通すことで、一定圧で、かつ一定量に調整するものである。また、検水供給装置１０は、定流量弁１４の上流側に密閉型砂礫除去管１５を備え、水中ポンプ１１で採水した検水を、密閉型砂礫除去管１５に通すことで、検水中から砂礫のみを沈降除去できるようになっている。【選択図】  図１
2004271297.tif 000002
【特許請求の範囲】
【請求項１】
河川や湖沼などの水を水中ポンプで採水し、採水した水を検水として水質監視自動計測機器へ供給する検水供給装置において、前記水中ポンプと前記水質監視自動計測機器との流路中に、検水を一定圧、一定量に調整することができる採水量定量装置を備えたことを特徴とする検水供給装置。
【請求項２】
前記採水量定量装置には、前記水中ポンプで採水した検水を、一定圧で、かつ一定量に調整する定流量弁を備え、この定流量弁の上流側には、前記水中ポンプで採水した検水から砂礫を沈降除去できる密閉型砂礫除去管を備えていることを特徴とする検水供給装置。
【請求項３】
請求項３の発明は、前記密閉型砂礫除去管は、採水した検水の流速を０．７ｍ／ｓ以下の低流速にて砂礫が沈降除去されるように構成されていることを特徴とする請求項２記載の検水供給装置。
【発明の詳細な説明】
【０００１】
【発明の属する技術分野】
本発明は検水供給装置に係り、さらに詳しくは、河川や湖沼などの水を水中ポンプで採水し、採水した検水を一定圧で、かつ一定量に調整して水質監視自動計測機器へ供給する採水量定量装置を備えた検水供給装置に関する。
【０００２】
【従来の技術】
従来より、河川や湖沼などの水質を管理するために、河川や湖沼などの水を検水として水質監視自動計測機器へ送る検水供給装置として、例えばポンプ直送方式、開放型流量調整高置水槽・重力方式や、開放型流量調整高置水槽・中間ポンプ方式のものが知られている。
【０００３】
図３に示すポンプ直送方式の検水供給装置１００は、水中ポンプ１０１で河川や湖沼における水を採水し、水中ポンプ１０１から自動計測機器１０２に直接に送水する。
【０００４】
また、図４に示す開放型流量調整高置水槽・重力方式の検水供給装置１１０は、水中ポンプ１１１で河川や湖沼における水を採水し、水中ポンプ１１１から開放型流量調整用の高置水槽１１２に送水する。
高置水槽１１２は高位置に配置されているので、高置水槽１１２からの落差を利用して自動計測機器１１３へ検水を供給することで、一定水量を自動計測機器１１３に常時供給することができる。
【０００５】
さらに、図５に示す開放型流量調整高置水槽・中間ポンプ方式の検水供給装置１２０は、水中ポンプ１２１で河川や湖沼の水を採水し、水中ポンプ１２１で開放型流量調整用の高置水槽１２２に送水する。
高置水槽１２２に溜めた検水は、中間ポンプ１２３で自動計測機器１２４へ供給される。これにより、高置水槽１２２の高さを確保することなく自動計測機器１２４に一定水量を常時供給することができるようになる。
【０００６】
【発明が解決しようとする課題】
しかし、図３に示すポンプ直送方式の検水供給装置１００によれば、水中ポンプ１０１からの採水量は、採水地点の水位の変動（実揚定の変動）に応じて増減する。
これにより、自動計測機器１０２での水量調整が難しくなり、水の飛散や水量不足などの不具合がたびたび発生していた。
【０００７】
また、図４に示す開放型流量調整高置水槽・重力方式の検水供給装置１１０によれば、水中ポンプ１１１で採水した検水が高置水槽１１２に一旦蓄えられて開放されるので、溶存酸素が、採水地点と異なる値になることが懸念される。
さらに、自動計測機器１１３での供給圧力を確保するために、高置水槽１１２の設置高さを確保する必要があり、設備を据え付けるために大きな設備空間を必要としていた。
【０００８】
ついで、図５に示す開放型流量調整高置水槽・中間ポンプ方式の検水供給装置１２０によれば、上記重力方式と同様に、水中ポンプ１２１で採水した検水が高置水槽１２２に一旦蓄えられて開放されるので、溶存酸素が、採水地点と異なる値になることが懸念される。
【０００９】
また高置水槽１２２に加えて、中間ポンプ１２３も必要となるので、設備部材が増えてイニシャルコストが嵩み、さらに中間ポンプ１２３を駆動させる必要があるので、電力による駆動費（ランニングコスト）が増すという問題がある。
【００１０】
この発明は、常時適正な水圧・水量を確保し、さらに水質の変化を防ぐことができる検水供給装置を提供せんとするものである。
【００１１】
【課題を解決するための手段】
上記目的を達成するために、請求項１の発明は、河川や湖沼などの水を水中ポンプで採水し、採水した水を検水として水質監視自動計測機器へ供給する検水供給装置において、前記水中ポンプと前記水質監視自動計測機器との流路中に、検水を一定圧、一定量に調整することができる採水量定量装置を備えたことを特徴とする検水供給装置である。
【００１２】
また、請求項２記載の発明は、前記採水量定量装置には、前記水中ポンプで採水した検水を、一定圧で、かつ一定量に調整する定流量弁を備え、この定流量弁の上流側には、前記水中ポンプで採水した検水から砂礫を沈降除去できる密閉型砂礫除去管を備えていることを特徴とする。
【００１３】
さらに、請求項３の発明は、前記密閉型砂礫除去管は、採水した検水の流速を０．７ｍ／ｓ以下の低流速にて砂礫が沈降除去されるように構成されていることを特徴とする。
【００１４】
上記の発明によれば、水中ポンプで採水した検水を採水量定量装置を経由させることで、検水を一定圧で、かつ一定量に調整することができるようになった。
【００１５】
また、従来技術のように、水中ポンプで採水した検水を、高置水槽に一旦蓄える必要がないので、一旦蓄えることによって、貯水した検水中の溶存酸素量が採水地点におけるそれと異なる値になるという虞はなくなる。
さらに、従来技術のように中間ポンプを設ける必要もない。
【００１６】
また、水中ポンプで採水した検水から砂礫を沈降除去するために、密閉型砂礫除去管を使用するため、検水が外気に触れることがなく、貯水した検水中の溶存酸素が採水地点におけるそれと異なる値になるという虞もない。
【００１７】
さらに密閉型砂礫除去管において、採水した検水の流速を０．７ｍ／ｓ以下の低流速にて砂礫を沈降除去させるようにしたため、砂礫を除去するためのフィルタを使用する必要がなくなった。
【００１８】
【発明の実施の形態】
以下添付図面に基づいて、本発明に係る採水量定量装置の一実施の形態を詳説する。
図１は本発明に係る検水供給装置の第１実施の形態を示す全体概略図、図２は本発明に係る検水供給装置の第２実施の形態を示す全体概略図である。
【００１９】
図１に示すように、検水供給装置１０は、河川や湖沼などの水を水中ポンプ１１で採水し、採水した水を検水として水質監視自動計測機器１２へ供給するもので、水中ポンプ１１と水質監視自動計測機器１２との流路中に、検水を一定圧、一定量に調整することができる採水量定量装置１３を備える。
この採水量定量装置１３には、定流量弁１４が備えられ、この定流量弁１４の上流側には密閉型砂礫除去管１５が備えられている。
【００２０】
前記の定流量弁１４は、水中ポンプ１１で採水した検水を、一定圧で、かつ一定量に調整するように構成されている圧力調整ばね付オリフィス型の弁で構成されている。
この定流量弁１４は、流路１６から弁本体１７内で矢印Ａの方向に検水が流れると、弁本体１７内のディスク１８の上流側１９と下流側２０とに圧力差（ｐ１−ｐ２）が発生し、ディスク１８がスプリング２１のばね力に抗して下流側２０に移動するようになっている。
【００２１】
ディスク１８の移動量は、上流側１９と下流側２０との圧力差（ｐ１−ｐ２）や、スプリング２１のばね力との関係で定まる。
ディスク１８は、縮流部曲管２２内に配置されており、この縮流部曲管２２の内径は下流側に向けて漸次小さくなるように形成されている。
【００２２】
前記の定流量弁１４によれば、水中ポンプ１１からの検水量が増加すると、上流側１９と下流側２０との圧力差（ｐ１−ｐ２）が大きくなり、ディスク１８が下流側２０に大きく移動する。
このため、縮流部曲管２２とディスク１８とで形成する流路面積が、ａ１からａ２に減少し、下流側２０に流れる検水量を大きく抑えるように調整する。
【００２３】
一方、水中ポンプ１１からの検水量が減少すると、上流側１９と下流側２０との圧力差（ｐ１−ｐ２）が小さくなるため、ディスク１８の下流側２０への移動量も小さくなる。
このため、縮流部曲管２２とディスク１８とで形成する流路面積が、ａ２より増加し、下流側２０に流れる検水量を小さく抑えるように調整する。
【００２４】
このようにして、水中ポンプ１１で採水した検水を、定流量弁１４を経由させることにより、検水を一定圧で、かつ一定量に調整し、常時適正な水圧・水量で水質監視自動計測機器１２へ検水が供給されるようになる。
【００２５】
また、定流量弁１４を備えることで、従来技術のように、水中ポンプ１１で採水した検水を、高置水槽に一旦蓄える必要もなくなる。
このため、従来技術のように、検水を高置水槽に一旦蓄えても、検水中の溶存酸素が採水地点とのそれと異なる値になる虞はまったくない。
したがって、定流量弁１４を備えることにより、採水地点の水質を維持した状態で、検水を水質監視自動計測機器１２へ供給することが可能になり、水質管理が正確に行えるようになる。
【００２６】
さらに、本発明では定流量弁１４の上流側に、密閉型砂礫除去管１５を備えるようにした。
この密閉型砂礫除去管１５は、水中ポンプ１１で採水した検水を、本体２５の下端に備えた供給管２６から本体２５内に導き、導かれた検水の流速を０．７ｍ／ｓ以下の低流速にて本体２５の上端側に向けて矢印Ｂ方向に導き、その検水を本体２５の上端に備えた排出管２７から排出するようにした。
なお、密閉型砂礫除去管１５の上端には空気を抜く空気抜き口２９が設けられている。
【００２７】
このように、密閉型砂礫除去管１５の本体２５内を、採水した検水が流速０．７ｍ／ｓ以下の低流速にて上昇させるため、検水中の砂礫は本体２５の下端に沈降し、砂礫排出管２８から除去されるようになる。
【００２８】
ここで、検水から砂礫を除去する通常の方法として、フィルタを使用することもあるが、フィルタを使用する場合には、砂礫の除去が行えるとともに、水質検査には必要であるゴミをも検水中から除去してしまう弊害があった。
しかしながら、本発明の密閉型砂礫除去管１５によれば、フィルタを使用することなく砂礫のみを確実に除去することができるようになるので、水質検査に必要なゴミを検水中から除去するという虞はまったくなくなる。
【００２９】
また、この砂礫除去管１５は密閉型であり、検水が外気に触れることを防いでいる。
これにより、検水中の溶存酸素が採水地点と異なる値になる虞はなく、採水地点の水質を維持した状態で検水を水質監視自動計測機器１２へ供給できるようになる。
【００３０】
つぎに、図２に基づいて第２実施の形態について説明する。
図２に示すように、第２実施の形態の検水供給装置５０は、第１水中ポンプ５１および第２水中ポンプ５２の一対の水中ポンプを備えた点で第１実施の形態と異なるだけで、その他の構成は第１実施の形態と同様である。
第２実施の形態の検水供給装置５０によれば、第１実施の形態と同様の効果を得ることができる。
【００３１】
さらに、第１水中ポンプ５１および第２水中ポンプ５２の一対の水中ポンプを備えることで、第１水中ポンプ５１および第２水中ポンプ５２を交互に使用することができるようになる。
【００３２】
第１水中ポンプ５１を使用する際には、第１水中ポンプ５１からの検水を、密閉型砂礫除去管１５に送るとともに、矢印Ｃに示すように第２水中ポンプ５２に向け逆に送ることになるため、第２水中ポンプ５２を洗浄、すなわち逆洗いできるようになる。
【００３３】
一方、第２水中ポンプ５２を使用する際には、第２水中ポンプ５２からの検水を、密閉型砂礫除去管１５に送るとともに、矢印Ｄに示すように第１水中ポンプ５１に向け逆に送ることになるため、第１水中ポンプ５１を洗浄、すなわち逆洗いできるようになる。
【００３４】
このように、第１、第２の水中ポンプ５１，５２を備えることで、一方の水中ポンプで駆動しながら、他方の水中ポンプを洗浄（逆洗い）することができるので、水中ポンプを逆洗いする目的で、検水供給装置５０を停止させる必要がなくなる。よって、検水供給装置５０の稼働率を高められるようになる。
【００３５】
なお、前記実施の形態においては、定流量弁１４の上流側に密閉型砂礫除去管１５を備えた例について説明したが、これに限らないで、密閉型砂礫除去管１５を備えずに、定流量弁１４のみを備えることも可能である。
【００３６】
【発明の効果】
以上述べたように、請求項１による検水供給装置によれば、水中ポンプで採水した検水を、採水量定量装置に通して一定圧で、かつ一定量に調整することで、常時適正な水圧・水量で検水を水質監視自動計測機器へ供給することができる。
【００３７】
また、従来技術のように、水中ポンプで採水した検水を、高置水槽に一旦蓄える必要がないので、一旦蓄えることによる水中の溶存酸素が、採水地点のそれと異なる値になるという虞もなく、採水地点の水質を維持した状態で、検水を水質監視自動計測機器へ正確に供給できるようになる。
【００３８】
さらに、従来技術のように中間ポンプを設ける必要もないので、イニシャルコストやランニングコストを抑えることができる。
【００３９】
また、水中ポンプで採水した水から砂礫を沈降除去するために、密閉型砂礫除去管を使用することで、検水が外気に触れることを防止でき、検水中の溶存酸素が採水地点のそれと異なる値になる虞がなく、採水地点の水質を維持した状態で検水を水質監視自動計測機器へ供給できるようになる。
【００４０】
さらに、密閉型砂礫除去管において、採水した水の流速を０．７ｍ／ｓ以下の低流速にて砂礫を沈降除去させて砂礫のみを除去できるようになったので、砂礫を除去するためのフィルタを使用する必要がくなり、水質検査に必要となる検水中のゴミを不用意に除去することがなくなり、これにより正確な検水の供給が可能となるという効果がある。
【図面の簡単な説明】
【図１】本発明に係る検水供給装置の第１実施の形態を示す全体概略図である。
【図２】同第２実施の形態を示す全体概略図である。
【図３】従来の検水供給装置を示す全体概略図である。
【図４】従来の検水供給装置の別の例を示す全体概略図である。
【図５】従来の検水供給装置のさらに別の例を示す全体概略図である。
【符号の説明】
１０，５０…検水供給装置
１１…水中ポンプ
１２…水質監視自動計測機器
１３…採水量定量装置
１４…定流量弁
１５…密閉型砂礫除去管
５１…第１水中ポンプ（水中ポンプ）
５２…第２水中ポンプ（水中ポンプ）
【図１】
2004271297.tif 000003
【図２】
2004271297.tif 000004
【図３】
2004271297.tif 000005
【図４】
2004271297.tif 000006
【図５】
2004271297.tif 000007